(57)【要約】  【課題】チルベントの着脱および固定を迅速、かつ容易に行うとともに、コストの低減。  【解決手段】金型２に形成されたチルベント嵌合部３に対して、チルベント１を金型２の外側面からスライドさせて着脱し、かつ金型２の外側面からチルベント１を支える支持板４により固定する。  【選択図】図１
0003110705.tif 000002
【実用新案登録請求の範囲】
【請求項１】
金型に形成されたチルベント嵌合部に対して、チルベントを金型の外側面からスライドさせて着脱し、かつ金型の外側面からチルベントを支える支持板により固定するようにしてなるチルベントの取付け構造。
【請求項２】
前記チルベントとチルベント嵌合部とに亘ってチルベントのスライドを案内する案内部を設け、当該案内部は、チルベントの側面にスライド方向に形成された凸部または凹部と、チルベント嵌合部の側面に前記凸部とスライド可能に嵌合する凹部、または前記凹部とスライド可能に嵌合する凸部とから構成されている請求項１に記載のチルベントの取付け構造。
【請求項３】
前記チルベントの長さが金型から突出する長さである場合のチルベントを固定する構成であって、前記支持板と金型の外側面の間にスペーサーが介在されている請求項１または請求項２に記載のチルベントの取付け構造。
【請求項４】
前記スペーサーが金型から突出するチルベントの長さに対応する長さのものに適宜交換可能である請求項３に記載のチルベントの取付け構造。
【考案の詳細な説明】
【技術分野】
【０００１】
本考案は、ダイカスト鋳造機におけるチルベントの取付け構造に関する。
【背景技術】
【０００２】
ダイカスト鋳造機におけるチルベントは、金型の先端に嵌めて成形部品からガス抜きをするためのガス抜き通路を形成するのに使用されるものである。(たとえば、特許文献１参照)
【特許文献１】特許第３３６７９１５号公報
【考案の開示】
【考案が解決しようとする課題】
【０００３】
前記チルベントの取付け構造としては、金型の縁部に形成されたチルベント嵌合部にチルベントを嵌合するとともに、ボルトを金型の裏側から前記取付け凹部の底部を貫通させてチルベントにねじ込み固定する構造が一般的である。
しかしながら、前記取付け構造の場合、チルベントを着脱する際には、金型をダイカスト機から外した上で、すべて分解して行う必要があって、金型の調整等に時間がかかりその作業効率が低いものであった。
また、金型をダイカスト機へ取り付ける際には、金型にチルベントを装着した状態で行われるため、チルベントが金型の外側面から突出する長さであるとともに、タイバー間隔から突出する長さであると、ダイカスト機の大きさによっては金型の取付けが不可能になる場合がある。
そのため、チルベントを前記取付け凹部に適合する長さのものを使用する必要があり、言い換えれば、ダイカスト機のサイズごとに用意しなけらず、これが前記作業効率とともなってコスト高の要因となっている。
【０００４】
そこで本考案は、チルベントの着脱および固定を迅速、かつ容易に行うとともに、コストの低減を課題とし、この課題を解決するチルベントの取付け構造の提供を目的とする。
【課題を解決するための手段】
【０００５】
本考案は、上記目的を達成するために下記の技術的手段を採用した。
その技術的手段は、金型に形成されたチルベント嵌合部に対して、チルベントを金型の外側面からスライドさせて着脱し、かつ金型の外側面からチルベントを支える支持板により固定するようにした (第１考案)。
また、前記チルベントのスライドをスムースに行うという観点から、チルベントとチルベント嵌合部とに亘ってチルベントのスライドを案内する案内部を設け、当該案内部を、チルベントの側面にスライド方向に形成された凸部または凹部と、チルベント嵌合部の側面に前記凸部とスライド可能に嵌合する凹部、または前記凹部とスライド可能に嵌合する凸部とから構成することが好ましい(第２考案)。
また、チルベントの長さが金型から突出する長さである場合のチルベントを固定する構成として、たとえば、前記支持板と金型の外側面の間にスペーサーを介在する構成が挙げられる(第３考案)。
この場合、前記スペーサーが金型から突出するチルベントの長さに対応する長さのものに適宜交換可能とすることが好ましい（第４考案）。
【考案の効果】
【０００６】
本考案のチルベントの取付け構造により下記の優れた効果が期待できる。
第１考案によれば、金型をダイカスト機に取り付けた状態で当該金型の外側面からチルベントの着脱および固定ができる。
また、金型から突出する長さのチルベントを使用できるので、ダイカスト機のサイズごとにチルベントを用意する必要がない。
したがって、金型に対するチルベントの着脱および固定を迅速、かつ容易に行うことができるとともに、コストを低減できる。
また、第２考案によれば、チルベントの着脱をスムース、かつ確実に行うことができる。
また、第３考案によれば、金型から突出したチルベントにおいても確実に固定することができる。
また、第４考案によれば、チルベントをその突出長さにかかわらず確実に固定することができる。
【考案を実施するための最良の形態】
【０００７】
以下、本考案のチルベントの取付け構造を実施するための最良の形態を図１〜図３に基づいて説明する。
図中符号１はチルベント、符号２は金型、符号３はチルベント嵌合部、符号４は支持板符合５は案内部である。
なお、本形態では、チルベント１の前後方向の長さがチルベント嵌合部３に嵌合した状態で金型２から突出する長さのものを例示している。
【０００８】
前記チルベント１は、基本的には、上下２個一組とする入駒１１，１２からなる周知のものであり、入駒１１，１２を金型２における上型２１と下型２２に夫々装着することによってその機能が達成されるものである。
入駒１１，１２の両側面には、当該両側面の前後方向全域に亘って、前記案内部５の一方を構成する凸部５１が突設されている。
金型２における上型２１と下型２２の縁部に夫々凹設されたチルベント嵌合部３は、入駒１１，１２の幅方向および高さ方向と適合する幅および深さに形成されている。
また、チルベント嵌合部３の両側面には、当該両側面の前後方向全域に亘って、前記案内部５の他方を構成し、凹部５２が前記凸部５１と正対する部位に凹設され、入駒１１，１２の嵌合状態において前記凸部５１が嵌合される。
そして、チルベント嵌合部３は、金型２を組み付けた状態において上下に重なる入駒１１，１２が適合して嵌合される大きさおよび形状の孔として形成される。
【０００９】
前記チルベント１をチルベント嵌合部３に嵌合するには、チルベント１を金型２の側面から孔状に形成されたチルベント嵌合部３に嵌合して押し込むことによって行われ、チルベントが案内部５に案内されてスライドして嵌合される。
なお、チルベント１の嵌合は、入駒１１，１２を重ねた状態で行ってもよいし、個別に行ってもよい。
【００１０】
チルベント１をチルベント嵌合部３に固定するための支持板４は、入駒１１，１２夫々を個別に支持するように２枚有り、入駒１１，１２の突出側端面(金型の外側)を支持することによってチルベント１を固定するものである。
また、前記支持板４と金型２の外側面とに亘って入駒１１，１２の突出長さと同長のスペーサー４１が介在され、当該スペーサー４１の介在によって支持板４と金型２との距離の差を埋めている。
そして、支持板４の両端面からスペーサー４１を経て金型２の外側面までボルト４２を貫通させて螺合締付することによってチルベント１が金型２に固定される。
なお、前記スペーサー４１は、金型２から突出するチルベント１の長さに対応する長さのものを適宜用い、また、チルベント１が金型２から突出しない長さである場合には、スペーサー４１は不要である。
【００１１】
なお、本願考案は、例示した実施の形態に限定するものではなく、実用新案登録請求の範囲に記載された内容から逸脱することなく、他の構成による実施も可能である。
【図面の簡単な説明】
【００１２】
【図１】本考案の一例を示す分解斜視図。
【図２】同、平面図で下型部分におけるチルベントの嵌合中途状態を示す。
【図３】同、チルベントの嵌合状態を示す。
【符号の説明】
【００１３】
１：チルベント
１１：入駒
１２：入駒
２：金型
２１：上型
２２：下型
３：チルベント嵌合部
４：支持板
４１：スペーサー
５：案内部
５１：凸部
５２：凹部
【図１】
0003110705.tif 000003
【図２】
0003110705.tif 000004
【図３】
0003110705.tif 000005